(57)【要約】【課題】変調方式の異なる複数のデジタルのＩＦ信号のレベルを復調回路に適合化するデジタル復調回路装置を提供する。【解決手段】少なくとも、第１の変調方式（ＱＡＭ）および第２の変調方式（ＯＦＤＭ）のいずれかで変調されたデジタル信号（Ｓ１０３）を復調するデジタル復調回路装置（１００）において、第１デジタル復調回路（１１０）は第１の復調方式（ＱＡＭ）で復調し、第２デジタル復調回路（１１４）第２の復調方式（ＱＡＭ）で復調し、信号品質検出比較回路（２０１）は第２の変調方式で変調されているデジタル信号（Ｓ１０３）の信号レベル（Ｓ１１２ｂ）を第２デジタル復調回路（１１４）に適合させる。【選択図】図１
2008244742.tif 000002
【特許請求の範囲】
【請求項１】
少なくとも、第１の変調方式および第２の変調方式のいずれかで変調されたデジタル信号を復調するデジタル復調回路装置であって、
前記第１の変調方式に対応した第１の復調方式で復調する第１の復調手段と、
前記第２の変調方式に対応した第２の復調方式で復調する第２の復調手段と、
前記第２の変調方式で変調されているデジタル信号の信号レベルを前記第２の復調手段に適合させる信号レベル適合化手段とを備えるデジタル復調回路装置。
【請求項２】
前記信号レベル適合化手段は、
所定のゲインで前記デジタル信号のゲインを調整するゲイン調整手段と、
前記ゲイン調整手段によってゲイン調整されたデジタル信号が前記第２の復調手段によって復調されて生成される復調信号の品質を検出する信号品質検出手段と、
前記検出された信号品質に基づいて、前記ゲイン調整手段のゲインを変更するゲイン制御手段を備える、請求項１に記載のデジタル復調回路装置。
【請求項３】
前記信号レベル適合化手段は、
所定のインピーダンスで前記デジタル信号を出力するためのインピーダンス変換手段と、
前記インピーダンス変換手段によってインピーダンスが変換されたデジタル信号が前記第２の復調手段によって復調されて生成される復調信号の品質を検出する信号品質検出手段と、
前記検出された信号品質に基づいて、前記インピーダンス変換手段のインピーダンスを変更するインピーダンス制御手段を備える、請求項１に記載のデジタル復調回路装置。
【請求項４】
前記インピーダンス変換手段によってインピーダンスが変換されたデジタル信号が前記第２の復調手段によって復調されて生成される復調信号の品質を検出する信号品質検出手段と、
前記検出された信号品質に基づいて、前記インピーダンス変換手段のインピーダンスを変更するインピーダンス制御手段をさらに備える、請求項３に記載のデジタル復調回路装置。
【請求項５】
前記信号品質検出手段は、
前記第２の復号手段に適合するデジタル信号の信号レベルの品質基準と、
前記復調信号の信号レベルを検出する信号レベル検出手段と
前記検出された信号レベルと前記品質基準と比較する比較手段を備える請求項２、３、および４の何れかに記載のデジタル復号回路装置。
【請求項６】
前記復号信号の検出された信号品質は、前記検出された信号レベルと前記品質基準との差である請求項５に記載のデジタル信号回路装置。
【請求項７】
前記復調信号の検出された信号レベルとは、Ｂｉｔ-Ｅｒｒｏｒ−ＲａｔｅおよびＳｉｇｎａｌ  ｔｏ  Ｎｏｉｓｅ  Ｒａｔｉｏの少なくとも１つの測定値である請求項５に記載のデジタル復調回路装置。
【請求項８】
前記信号品質検出手段は、ＣＰＵによって実行されるソフトウェアによって実現される請求項５に記載のデジタル復調回路装置。
【請求項９】
前記第１の復調手段と、前記第２の復調手段と、前記信号レベル適合化手段とが一つのパッケージとして集積回路化されている請求項１に記載のデジタル復調回路装置。
【発明の詳細な説明】
【技術分野】
【０００１】
本発明はデジタル放送等に用いられる複数のデジタル伝送方式に対応するデジタル復調回路装置に関する。
【背景技術】
【０００２】
従来のデジタル復調回路装置は複数の異なる伝送方式に対応するために一つのチューナから出力される一つのＩＦ信号（以降、「第１のＩＦ信号」と呼ぶ）を複数のデジタル復調回路装置に直接接続している（例えば特許文献１参照）。図４に示すように、デジタル復調回路装置４００は、加入者端子４０１、入出力端子４０２、フィルタ４０３、フィルタ４０４、変調部４０５、復調部４０６、チューナ４０７、フィルタ４０８、ダウンコンバータ４０９、ＱＡＭ復調部４１０、スクランブル解除部（図においては「Ｄｅ−ｓｃｒ」と表示）４１１、多重分離回路４１２、映像デコーダ４１３、ＮＴＳＣエンコーダ４１４、映像出力端子４１５、音声出力端子４１６、音声出力回路４１７、音声デコーダ４１８、ＯＦＤＭ復調部４１９、切替回路（図においては「ＳＷ回路」と表示）４２０、ＡＧＣ電圧設定回路（図においては「delay」と表示）４２１、および制御用マイクロコンピュータ４２２を含む。
【０００３】
チューナ４０７は異なる伝送方式のデジタル信号を選局し、フィルタ４０８はそれぞれの信号帯域に適した特性を有する。ダウンコンバータ４０９は、必要においてデジタル復調回路でのアナログ・デジタル変換処理を軽減するためにチューナ４０７およびフィルタ４０８を介して入力される第１のＩＦ信号をダウンコンバートして第２のＩＦ信号を生成する。ＱＡＭ復調部４１０およびＯＦＤＭ復調部４１９は、第２のＩＦ信号をそれぞれの変調方式に対応して復調する。
【０００４】
切替回路４２０は、チューナ４０７およびダウンコンバータ４０９をＱＡＭ復調部４１０またはＯＦＤＭ復調部４１９によりコントロールするために切り替える。ＡＧＣ電圧設定回路４２１は、復調回路同士のチューナ４０７に対してＡＧＣコントロールする。
【特許文献１】特開平１１−１５０７１９号公報
【発明の開示】
【発明が解決しようとする課題】
【０００５】
上述の如く構成されたデジタル復調回路装置４００では、ＱＡＭ復調部４１０における入力回路の信号入力条件とＯＦＤＭ復調部４１９における信号入力回路の信号入力条件とは通常異なっている。また、ダウンコンバートされた第２のＩＦ信号をＱＡＭ復調部４１０およびＯＦＤＭ復調部４１９によってそれぞれの変調方式で復調するためには、ＱＡＭ復調部４１０およびＯＦＤＭ復調部４１９の前段でＩＦ信号レベルと入出力インピーダンスを合わせる手段としてアナログフィルター等を挿入しなければならない。結果、複数のデジタル復調回路のそれぞれに関して、入力信号レベルと入出力を最適化することは困難である。
本発明は上述の問題に鑑みて、変調方式の異なる複数のデジタルのＩＦ信号のレベルを復調回路に適合化するデジタル復調回路装置を提供することを目的とする。
【課題を解決するための手段】
【０００６】
上記の課題を解決するために本発明は、
少なくとも、第１の変調方式および第２の変調方式のいずれかで変調されたデジタル信号を復調するデジタル復調回路装置であって、
前記第１の変調方式に対応した第１の復調方式で復調する第１の復調手段と、
前記第２の変調方式に対応した第２の復調方式で復調する第２の復調手段と、
前記第２の変調方式で変調されているデジタル信号の信号レベルを前記第２の復調手段に適合させる信号レベル適合化手段とを備える。
【０００７】
前記信号レベル適合化手段は、
所定のゲインで前記デジタル信号のゲインを調整するゲイン調整手段と、
前記ゲイン調整手段によってゲイン調整されたデジタル信号が前記第２の復調手段によって復調されて生成される復調信号の品質を検出する信号品質検出手段と、
前記検出された信号品質に基づいて、前記ゲイン調整手段のゲインを変更するゲイン制御手段を備えることが望ましい。
【０００８】
前記信号レベル適合化手段は、
所定のインピーダンスで前記デジタル信号を出力するためのインピーダンス変換手段と、
前記インピーダンス変換手段によってインピーダンスが変換されたデジタル信号が前記第２の復調手段によって復調されて生成される復調信号の品質を検出する信号品質検出手段と、
前記検出された信号品質に基づいて、前記インピーダンス変換手段のインピーダンスを変更するインピーダンス制御手段を備えることが望ましい。
【０００９】
前記インピーダンス変換手段によってインピーダンスが変換されたデジタル信号が前記第２の復調手段によって復調されて生成される復調信号の品質を検出する信号品質検出手段と、
前記検出された信号品質に基づいて、前記インピーダンス変換手段のインピーダンスを変更するインピーダンス制御手段をさらに備えることが望ましい。
【００１０】
前記信号品質検出手段は、
前記第２の復号手段に適合するデジタル信号の信号レベルの品質基準と、
前記復調信号の信号レベルを検出する信号レベル検出手段と
前記検出された信号レベルと前記品質基準と比較する比較手段を備えることが望ましい。
【００１１】
前記復号信号の検出された信号品質は、前記検出された信号レベルと前記品質基準との差であることが望ましい。
【００１２】
前記復調信号の検出された信号レベルとは、Ｂｉｔ-Ｅｒｒｏｒ−ＲａｔｅおよびＳｉｇｎａｌ  ｔｏ  Ｎｏｉｓｅ  Ｒａｔｉｏの少なくとも１つの測定値であることが望ましい。
【００１３】
前記信号品質検出手段は、ＣＰＵによって実行されるソフトウェアによって実現されることが望ましい。
【００１４】
前記第１の復調手段と、前記第２の復調手段と、前記信号レベル適合化手段とが一つのパッケージとして集積回路化されていることが望ましい。
【発明の効果】
【００１５】
上述のように、本発明にかかるデジタル復調回路装置によれば、複数の復調方式毎に接続される複数の復調回路装置の入力条件に自動的に最適化することできる。
【発明を実施するための最良の形態】
【００１６】
（第１の実施形態）
図１を参照して、本発明の第１の実施の形態にかかるデジタル復調回路装置ついて説明する。デジタル復調回路装置１００ａは、第１デジタル復調回路１１０ａと第２デジタル復調回路１１４ａを含む。第１デジタル復調回路１１０ａと第２デジタル復調回路１１４ａは、デジタル信号を異なる方式で復調する機能を有する。例えば、上述の従来のデジタル復調回路装置と同様にＱＡＭ復調回路とＯＦＤＭ復調回路という組み合わせが考えられるが、これらに限定されるものではない。
【００１７】
第１デジタル復調回路１１０ａはチューナ１０２の出力ポートに接続されて、デジタル信号Ｓ１０１が入力される。第２デジタル復調回路１１４ａは第１デジタル復調回路１１０ａに接続されてデジタル信号Ｓ１１１が入力される。なお、第２のＩＦ信号Ｓ１１１および第１デジタル復調回路１１０ａによるデジタル伝送信号Ｓ１０１に対する処理については以下に詳述する。
【００１８】
第１デジタル復調回路１１０ａは、ＳＷ回路１０４、デジタル伝送復調回路部１０５、コントロール回路１０７、可変インピーダンス出力バッファ回路１０８、およびゲイン調整回路１０９を含む。チューナ１０２は、デジタル伝送信号Ｓ１０１を選局して第１のＩＦ信号Ｓ１０３に変換する。第１のＩＦ信号Ｓ１０３は、第１デジタル復調回路１１０ａのＳＷ回路１０４に入力される。
【００１９】
コントロール回路１０７は、第１のＩＦ信号Ｓ１０３に対して適切なデジタル復調を施す手段として、第１デジタル復調回路１１０ａと第２デジタル復調回路１１４ａとの何れかを選択する。
【００２０】
第１デジタル復調回路１１０ａが選択される場合、コントロール回路１０７はＳＷ回路１０４に第１のＩＦ信号Ｓ１０３をデジタル伝送復調回路部１０５に入力させる。デジタル伝送復調回路部１０５はＳＷ回路１０４から入力される第１のＩＦ信号Ｓ１０３を復調して第１のトランスポートストリームＳ１０６を生成する。
【００２１】
一方、第２デジタル復調回路１１４ａが選択される場合、コントロール回路１０７はＳＷ回路１０４に第１のＩＦ信号Ｓ１０３をゲイン調整回路１０９に入力させる。ただし、第２デジタル復調回路１１４ａが選択された直後は、ゲイン調整回路１０９のゲイン調整機能は作動しない。そのために、第１のＩＦ信号Ｓ１０３は第２デジタル復調回路１１４ａの規定ゲイン値で処理された後に可変インピーダンス出力バッファ回路１０８に入力される。
【００２２】
可変インピーダンス出力バッファ回路１０８も、第２デジタル復調回路１１４ａが選択された直後は、インピーダンス可変機能が動作しない。そのために、可変インピーダンス出力バッファ回路１０８に入力された第１のＩＦ信号Ｓ１０３は規定インピーダンスで処理された後に第２のＩＦ信号Ｓ１１１として、第２デジタル復調回路１１４ａに入力される。つまり、第２のＩＦ信号Ｓ１１１は、第１のＩＦ信号Ｓ１０３がゲイン調整回路１０９および可変インピーダンス出力バッファ回路１０８のそれぞれで所定のゲインおよびインピーダンスで処理されたＩＦ信号である。
【００２３】
第２デジタル復調回路１１４ａに入力された第２のＩＦ信号Ｓ１１１は、デジタル伝送復調回路部１１２ａによって復調されて、第２のトランスポートストリームＳ１１３が生成される。そして、第２のトランスポートストリームＳ１１３の信号品質を、第２デジタル復調回路１１４ａの外部で測定する。この測定結果をコントロール回路１０７にフィードバックさせて、最初にゲイン調整回路１０９に第１のＩＦ信号Ｓ１０３の信号レベルを変化させる。第１のＩＦ信号Ｓ１０３の信号品質が最良となれば可変インピーダンス出力バッファ回路１０８の出力インピーダンスを変化させ、再び信号品質の最良点を決定する。このように回路構成されたデジタル復調回路装置を一つのパッケージとして集積回路化することで、より利便性の向上と簡素化を図ることが出来る。
【００２４】
（第２の実施の形態）
図２を参照して、本発明の第２の実施の形態にかかるデジタル復調回路装置について説明する。デジタル復調回路装置１００ｂは、上述の第１の実施の形態にかかるデジタル復調回路装置１００ａにおいて、第１デジタル復調回路１１０ａおよび第２デジタル復調回路１１４ａがそれぞれ第１デジタル復調回路１１０ｂおよび第２デジタル復調回路１１４ｂに置き換えられている。
【００２５】
第２デジタル復調回路１１４ｂは、第２デジタル復調回路１１４ａにおけるデジタル伝送復調回路部１１２ａがデジタル伝送復調回路部１１２ｂに置き換えられている。デジタル伝送復調回路部１１２ｂは、デジタル伝送復調回路部１１２ａからＢｉｔ−Ｅｒｒｏｒ−Ｒａｔｅ（ＢＥＲ）やＳｉｇｎａｌ  ｔｏ  Ｎｏｉｓｅ  Ｒａｔｉｏ（ＳＮＲ）の測定結果を信号品質情報Ｓ１１４ｂとして出力するポートが設けられていることを除いてデジタル伝送復調回路部１１２ａと同様に構成される。
【００２６】
第１デジタル復調回路１１０ｂは第１デジタル復調回路１１０ａにおいて、信号品質検出比較回路２０１が追加されている。信号品質検出比較回路２０１は、第２デジタル復調回路１１４ｂのデジタル伝送復調回路部１１２ｂに接続されて、第２のトランスポートストリームＳ１１３の信号品質情報Ｓ１１２ｂが入力される。信号品質検出比較回路２０１は信号品質基準情報Ｉｓ（不図示）を保持しており、入力された信号品質情報Ｓ１１２ｂを信号品質基準情報Ｉｓと比較して、品質比較結果Ｓ２０１を生成してコントロール回路１０７に入力する。つまり、信号品質検出比較回路２０１は、上述の第１の実施の形態において外部に設けられている第２デジタル復調回路での信号品質のフィードバック機能を実現する手段である。
【００２７】
コントロール回路１０７は、信号品質検出比較回路２０１から入力された信号品質判定結果Ｓ２０１（第２のトランスポートストリームＳ１１３の取得品質と基準品質との差）に基づいて、ゲイン調整回路１０９を調整し、信号レベルを変化させて信号品質が最良点になるように信号レベルを合わせる。そしてコントロール回路１０７は、引き続き信号品質判定結果Ｓ２０１に基づいて、可変インピーダンス出力バッファ回路１０８の出力インピーダンスを変化させて、再び信号品質が最良点になるように出力インピーダンスを決定する。つまり、信号レベルとインピーダンスをより適切に設定できる。また、第２デジタル復調回路１１４ｂからのフィードバック機構を内在することによって、上述の第１の実施の形態に比べてより一層の利便性の向上と構成の簡素化を図ることができる。
【００２８】
（第３の実施の形態）
図３を参照して、本発明の第３の実施の形態にかかるデジタル復調回路装置について説明する。デジタル復調回路装置１００ｃは、上述のデジタル復調回路装置１００ｂにおいて、第１デジタル復調回路１１０ｂが第１デジタル復調回路１１０ｃに置き換えられている。第１デジタル復調回路１１０ｃは、第１デジタル復調回路１１０ｂにおいて信号品質検出比較回路２０１が取り除かれている。そして、第１デジタル復調回路１１０ｃのコントロール回路１０７および第２デジタル復調回路１１４ｂのデジタル伝送復調回路部１１２ｂは共に外部に設けられた外部ＣＰＵ３０１に接続されている。
【００２９】
つまり、外部ＣＰＵ３０１は信号品質検出比較回路２０１の代わりに第２のトランスポートストリームＳ１１３の信号品質の検出比較をソフトウェアにて処理し、コントロール回路１０７に伝達するものである。このように、信号品質の評価をソフトウェアによって処理することによって、デジタル復調回路装置１００ｃのハードウェアの個体差や経年変化などを吸収補正でき、より高精度な信号レベルの最適化が実現できる。
【００３０】
上述のように、本発明にかかるデジタル復調回路装置によれば、複数の復調方式毎に接続される複数の復調回路装置の入力条件に自動的に最適化することできる。さらに回路構成の簡素化が実施でき、回路装置の信頼性を向上することができる。さらに、複数の伝送方式をもつデジタル放送用端末装置などのデジタル復調回路において回路設計の最適化と簡素化により信頼性を高めることができる。
【産業上の利用可能性】
【００３１】
本発明は複数の伝送方式をもつデジタル放送用端末装置などのデジタル復調回路装置等に利用できる。
【図面の簡単な説明】
【００３２】
【図１】本発明の第１の実施の形態にかかるデジタル復調回路装置の構成を示すブロック図
【図２】本発明の第２の実施の形態にかかるデジタル復調回路装置の構成を示すブロック図
【図３】本発明の第３の実施の形態にかかるデジタル復調回路装置の構成を示すブロック図
【図４】従来のデジタル復調回路装置の構成を示すブロック図
【符号の説明】
【００３３】
１００ａ、１００ｂ、１００ｃ    デジタル復調回路装置
１０２    チューナ
１０４    ＳＷ回路
１０５    デジタル伝送復調回路部
１０７    コントロール回路
１０８    可変インピーダンス出力バッファ回路
１０９    ゲイン調整回路
１１０ａ、１１０ｂ、１１０ｃ    第１デジタル復調回路
１１２ａ、１１２ｂ  デジタル伝送復調回路部
１１３    トランスポートストリーム
１１４ａ、１１４ｂ    第２デジタル復調回路
２０１    信号品質検出比較回路
３０１    外部ＣＰＵ
４００    デジタル復調回路装置
４０１    加入者端子
４０２    入出力端子
４０３    フィルタ
４０４    フィルタ
４０５    変調部
４０６    復調部
４０７    チューナ
４０８    フィルタ
４０９    ダウンコンバータ
４１０    ＱＡＭ復調部
４１１    スクランブル解除部
４１２    多重分離回路
４１３    映像デコーダ
４１４    ＮＴＳＣエンコーダ
４１５    映像出力端子
４１６    音声出力端子
４１７    音声出力回路
４１８    音声デコーダ
４１９    ＯＦＤＭ復調部
４２０    切替回路
４２１    ＡＧＣ電圧設定回路
４２２    制御用マイクロコンピュータ
【図１】
2008244742.tif 000003
【図２】
2008244742.tif 000004
【図３】
2008244742.tif 000005
【図４】
2008244742.tif 000006